(57)【要約】      （修正有）【課題】水槽の壁面に付着した藻類を除去する。【解決手段】水棲生物の飼育装置１は、水棲生物を飼育する主水槽１１と、グリーンヒドラ２０を飼育する副水槽２１と、副水槽内２１の水のみを主水槽１１に供給する供給手段２２、２３、２４、２５とを備えている。【選択図】図１
2019154395.tif 000002
【特許請求の範囲】
【請求項１】
水棲生物を飼育する主水槽と、グリーンヒドラを飼育する副水槽と、前記副水槽内の水のみを主水槽に供給する供給手段とを備えていることを特徴とする水棲生物の飼育装置。
【請求項２】
前記副水槽がグリーンヒドラを通さず水を通す通水性素材からなり、主水槽の水中に設置されている請求項１に記載の水棲生物の飼育装置。
【請求項３】
前記副水槽が主水槽の外に設置されている請求項１に記載の水棲生物の飼育装置。
【請求項４】
水中で水棲生物をグリーンヒドラと混合飼育することを特徴とする水棲生物の飼育方法。
【請求項５】
水中でグリーンヒドラを飼育し、飼育に使用した水を水槽に供給することを特徴とする水槽のクリーニング方法。
【請求項６】
グリーンヒドラの飼育に使用し、グリーンヒドラの分泌物を含有することを特徴とするグリーンヒドラ飼育水。
【発明の詳細な説明】
【技術分野】
【０００１】
本発明は藻類を除去して水槽内をクリーニングできる水棲生物の飼育装置、およびその関連技術に関する。
【背景技術】
【０００２】
観賞魚用水槽内に珪藻、緑藻、藍藻等の藻類が発生すると、壁面に付着して水槽を汚し、水を濁らせる。濁った水は水換えをし、壁面に付着した藻類はブラシやスクレーパで掻き落としている（非特許文献１、２、３参照）。
【先行技術文献】
【非特許文献】
【０００３】
【非特許文献１】おそうじラクラクマグクリーナーＳ、ジェックス株式会社［２０１８年２月２１日検索］インターネットＵＲＬ〈http://product-fish.gex-fp.co.jp/product_fish/?m=ProductListDetail&cid=46&id=469〉
【非特許文献２】コケ取りＤＸ−Ｓ、ジェックス株式会社［２０１８年２月２１日検索］インターネットＵＲＬ〈http://product-fish.gex-fp.co.jp/product_fish/?m=ProductListDetail&cid=46&id=473〉
【非特許文献３】アルジー３０、ジェックス株式会社［２０１８年２月２１日検索］インターネットＵＲＬ〈http://product-fish.gex-fp.co.jp/product_fish/?m=ProductListDetail&cid=46&id=475〉
【発明の概要】
【発明が解決しようとする課題】
【０００４】
水槽の水換えや壁面掃除は力と手間のかかる作業であるため、良い飼育環境および鑑賞環境を現状よりも簡単な方法で維持できる方法が求められている。
【課題を解決するための手段】
【０００５】
本発明は、グリーンヒドラを飼育する水槽には藻類が付着しないことに着目して完成したものである。即ち、本発明は下記［１］〜［６］に記載の構成を有する。
【０００６】
［１］水棲生物を飼育する主水槽と、グリーンヒドラを飼育する副水槽と、前記副水槽内の水のみを主水槽に供給する供給手段とを備えていることを特徴とする水棲生物の飼育装置。
【０００７】
［２］前記副水槽がグリーンヒドラを通さず水を通す通水性素材からなり、主水槽の水中に設置されている前項１に記載の水棲生物の飼育装置。
【０００８】
［３］前記副水槽が主水槽の外に設置されている前項１に記載の水棲生物の飼育装置。
【０００９】
［４］水中で水棲生物をグリーンヒドラと混合飼育することを特徴とする水棲生物の飼育方法。
【００１０】
［５］水中でグリーンヒドラを飼育し、飼育に使用した水を水槽に供給することを特徴とする水槽のクリーニング方法。
【００１１】
［６］グリーンヒドラの飼育に使用し、グリーンヒドラの分泌物を含有することを特徴とするグリーンヒドラ飼育水。
【発明の効果】
【００１２】
上記［１］に記載の水棲生物の飼育装置によれば、副水槽からグリーンヒドラの分泌物を含むグリーンヒドラ飼育水が主水槽に供給され、主水槽の藻類が除去される。従って、主水槽においては、水槽および水槽の水がクリーニングされ、美しい状態が保たれる。
【００１３】
また、グリーンヒドラは副水槽で水棲生物から隔離して飼育されているので、グリーンヒドラが水棲生物に捕食されることがない。このため、グリーンヒドラの減数によるクリーニング効果の低下が起こらない。
【００１４】
上記［２］に記載の水棲生物の飼育装置によれば、設備を簡略化できる。
【００１５】
上記［３］に記載の水棲生物の飼育装置によれば、主水槽内がすっきりし、副水槽が水棲生物鑑賞の邪魔をしない。
【００１６】
上記［４］に記載の水棲生物の飼育方法によれば、水棲生物飼育用水槽にグリーンヒドラを投入するだけで水槽内の藻類を除去できる。
【００１７】
上記［５］に記載の水槽のクリーニング方法によれば、水槽内の藻類を除去できる。
【００１８】
上記［６］に記載のグリーンヒドラ飼育水によれば、藻類を除去できる。
【図面の簡単な説明】
【００１９】
【図１】本発明の水棲生物の飼育装置の一例を示す斜視図である。
【図２】本発明の水棲生物の飼育装置の他の例を示す斜視図である。
【図３Ａ】実験１の水槽Ａに置いたシャーレの１０日後の画像である。
【図３Ｂ】実験１の水槽Ｂに置いたシャーレの１０日後の画像である。
【図４】実験２の水槽Ａに置いたシャーレの８日後の画像である。
【図５Ａ】実験３の珪藻付着水槽の実験開始時の画像である。
【図５Ｂ】実験３の珪藻付着水槽の９日後の画像である。
【図５Ｃ】実験３の珪藻付着水槽の３２日後の画像である。
【図６Ａ】実験３の緑藻付着水槽の実験開始時の画像である。
【図６Ｂ】実験３の緑藻付着水槽の３０日後の画像である。
【図６Ｃ】実験３の緑藻付着水槽の５３日後の画像である。
【図７】実験４の実験開始時と２か月後のシャーレの画像である。
【図８】実験４の実験開始時のシャーレ内の透明度測定位置および測定値を示す画像である。
【図９】実験４の２か月後のシャーレ内の透明度測定位置および測定値を示す画像である。
【発明を実施するための形態】
【００２０】
本発明は、グリーンヒドラを用いて水槽内に発生した藻類を除去する。
【００２１】
グリーンヒドラ（学名Hydra viridisあるいはHydra Viridissima）は、体長１ｍｍ〜数ｍｍの細長い体の先端に円状に並んだ触手を持つ刺胞動物であり、亜熱帯〜温帯地域の浅い池の水草の上などに多く生息する。グリーンヒドラは雌雄同体であり、有性生殖と無性生殖の両方を行う。無性生殖の場合は出芽により増殖する。
【００２２】
グリーンヒドラは細胞内に緑藻クロレラを共生させているヒドラの一種で、緑色をしており光合成をすることができる。口の周りに生えた６−８本程度の長い触手には刺胞という毒針が付いていて、触手に触れたミジンコなどを麻痺させて餌とする。基底面から粘性物質としてグリカンや糖タンパク質を分泌して、容器等の壁面に固着していると推定されている（Rodrigues et al.,(2016) The cellular basis of  bioadhesion of the freshwater polyp Hydra,BMC Zoology,1:3）。また、基底面から水を出すことで壁面から離れると推定されている（Rodrigues et al.,2016）。
【００２３】
グリーンヒドラによる藻類除去効果はグリーンヒドラの飼育に使用した水によって得られる。即ち、グリーンヒドラを対象となる水槽に入れなくても、グリーンヒドラの飼育に使用した水（以下「グリーンヒドラ飼育水」と略称する）を水槽に供給すれば、その水槽において上記効果が得られる。このことから、グリーンヒドラが藻類を食べるのではなく、グリーンヒドラの分泌物または排泄物に含まれる分泌物が防藻物質として作用し、藻類の増殖を抑制していると推測される。
【００２４】
以下の説明において、グリーンヒドラ飼育水による藻類除去効果を「グリーンヒドラによるクリーニング効果」あるいは単に「クリーニング効果」と略す場合がある。
［水棲生物の飼育装置］
図１および図２に本発明の水槽のクリーニング方法を実施する水棲生物の飼育装置の２つの例を示す。なお、同一の符号は同一物または同等物を表すものであり、重複する説明を省略する。
【００２５】
図１の飼育装置１は、水棲生物を飼育する主水槽１１と、グリーンヒドラ２０を飼育する副水槽２１とを備え、２つのポンプ１３、２４と配管１２、１４、２２、２５によって水が主水槽１１と副水槽２１の間を循環している。
【００２６】
前記副水槽２１の取水管２２の取水口に、グリーンヒドラ２０を通さないメッシュフィルター２３が設置されている。従って、ポンプ２４の稼働によって副水槽２１からグリーンヒドラ飼育水のみが吸い上げられ、供給管２５から主水槽１１に供給される。また、主水槽１１の取水管１２からポンプ１３で吸い上げられた水は給水管１４から副水槽２１に供給される。前記取水管２２、ポンプ２４、給水管２５およびメッシュフィルター２３は、本発明における「副水槽内の水のみを主水槽に供給する供給手段」に対応する。
【００２７】
前記主水槽１１には副水槽２１のグリーンヒドラ飼育水が供給されており、主水槽１１においてグリーンヒドラ２０によるクリーニング効果が得られ、藻類が除去されて美しい状態が保たれる。また、副水槽２１内の水は防藻物質を豊富に含むグリーンヒドラ飼育水であるから、副水槽２１においてもクリーニング効果によって美しい状態が保たれる。
【００２８】
前記副水槽２１は、管を介さずに主水槽１１の上面や側面に直接取り付けるタイプのものであってもよい。
【００２９】
図２の飼育装置２は、主水槽１１内にメッシュ製の容器３１が設置され、この容器３１内でグリーンヒドラ２０が飼育されている。前記メッシュはグリーンヒドラ２０を通さず水を通す通水性素材である。水中ポンプ３２によって主水槽１１内の水が容器３１に送り込まれると、容器３１内のグリーンヒドラ飼育水が押し出されて主水槽１１に供給される。従って、主水槽１１および容器３１内においてグリーンヒドラによるクリーニング効果が得られる。
【００３０】
なお、前記水中ポンプ３２および容器３１は本発明における「副水槽内の水のみを主水槽に供給する供給手段」に対応する。前記容器３１は通水性であるから、ポンプ３２なしでも水の流れによって水の出入りがあり、ポンプ３２が無く容器３１のみでも本発明における「副水槽内の水のみを主水槽に供給する供給手段」に対応する。ただし、グリーンヒドラ２０が通過できない程度の細かいメッシュ素材は出入り量が少ないので、ポンプ３２を用いて強制的に容器３１から流出させることが好ましい。また、主水槽１１内にくまなくグリーンヒドラ飼育水を拡散させるためにも強制的に流出させることが好ましい。
【００３１】
前記飼育装置１、２においてはグリーンヒドラ２０と水棲生物を隔離して主水槽１１のクリーニングを行っている。しかし、グリーンヒドラ２０と水棲生物を隔離せず、１つの水槽内で混合飼育した場合でもクリーニング効果は得られる。但し、グリーンヒドラが水棲生物に捕食されて減数するとクリーニング効果が低下するので、グリーンヒドラを隔離して飼育することが好ましい。グリーンヒドラを捕食しない小型魚であれば混合飼育してもクリーニング効果を保つことができる。例えばグッピーはグリーンヒドラを捕食しにくい。混合飼育の場合は、水棲生物飼育用水槽にグリーンヒドラを投入するだけでよく、副水槽やポンプ等の追加設備が不要である。また、水棲植物のみを入れた水槽であれば捕食は起こらないので、水棲生物の水槽にグリーンヒドラを投入する方法が最も簡単なクリーニング方法である。
【００３２】
一方、グリーンヒドラを隔離することによって以下のメリットがある。
（１）水棲生物がグリーンヒドラを捕食するかどうかを考慮する必要がない。
（２）主水槽においてグリーンヒドラが目障りにならない。グリーンヒドラは体長１ｍｍ程度であり近づけば肉眼でも視認できるので、増殖すると目障りに感じることがある。
（３）主水槽の水換えを行う際にグリーンヒドラを捕集する必要がない。水槽の水は藻類以外の原因で水換えが必要となることがある。そのような場合にもグリーンヒドラを失わずに水換えを行える。グリーンヒドラは水槽の壁面に付着して生息しているので、水換えによって失われるグリーンヒドラの数は多くはないが、隔離しておけば１匹たりとも失わない。
【００３３】
グリーンヒドラを飼育する副水槽２１、３１は、図１のように主水槽１１外に設置することも、図２のように主水槽１１内に設置することもできる。
【００３４】
主水槽１１外に副水槽２１を設置した場合は主水槽１１内がすっきりし、水棲生物の鑑賞の邪魔をしない。また、水棲生物とグリーンヒドラの好適飼育環境が異なる場合でも、それぞれに最適な環境に設定できる。一方、主水槽１１内に設置した場合は設備を簡略化でき、場所もとらない。
【００３５】
また、前記副水槽はろ過材の容器と兼用することもできる。図１の飼育装置１の副水槽２１はろ過装置のろ過材容器と兼用できるし、図２の飼育装置２のメッシュ製容器３１にろ過材を入れることもできる。また、ろ過材を入れるメッシュ製バッグにグリーンヒドラを入れることもできる。ろ過材の容器を通った水は主水槽に送られるので、ろ過材の容器でグリーンヒドラを飼育すれば主水槽にグリーンヒドラ飼育水を供給できる。
【００３６】
グリーンヒドラの数は主水槽の水１リットルに対して１００匹〜３００匹が好ましい。
【００３７】
また、本発明の主水槽は室内または屋外に設置される水槽に限定されない。池、沼、湖、壕等の屋外の水棲生物の生息領域も本発明の主水槽に該当し、これらの生息領域においてもグリーンヒドラによるクリーニング効果が得られる。
［グリーンヒドラの培養］
グリーンヒドラは副水槽に投入する前に実験室で培養して増殖させることによって、クリーニング効果の効率化を図ることができる。以下は培養方法の一例である。
【００３８】
室温２５℃程度の室内で、水を入れたシャーレにグリーンヒドラを入れ、エサとして孵化して間もないフライシュリンプを１日１回与え、数時間後にシャーレの水を捨てて新しい水を入れる。なお、グリーンヒドラは分泌物によってシャーレの底に付着しているので、シャーレを傾けて水を捨てても流れ落ちにくく、多くの場合はシャーレに残っている。このサイクルを繰り返してグリーンヒドラを培養する。
【実施例】
【００３９】
以下の実験により、グリーンヒドラによるクリーニング効果を検証した。
［実験１：グリーンヒドラ混合飼育下のクリーニング効果］
グリーンヒドラのいない、グッピーの飼育水槽内に、複数個のシャーレを沈めて３か月放置し、シャーレの周面および底面に珪藻や緑藻を付着させ、これらをクリーニング効果試験用シャーレとした。
【００４０】
１０リットルの水槽２個を用意し、一方の水槽Ａにはグッピー６匹とグリーンヒドラ約１０００匹を入れ、他方の水槽Ｂにはグッピー６匹のみを入れた。水槽Ａおよび水槽Ｂに試験用シャーレを沈めて藻類の状態を観察した。
【００４１】
図３Ａに１０日後の水槽Ａのシャーレを示し、図３Ｂに１０日後の水槽Ｂのシャーレを示す。
【００４２】
図３Ａおよび図３Ｂに示すように、グリーンヒドラを飼育する水槽Ａではグリーンヒドラを飼育していない水槽Ｂよりも藻類が減少した。また、水槽Ａ内のシャーレにはグリーンヒドラが付着していた。この結果より、グリーンヒドラがクリーニング効果を奏することを確認した。
［実験２：グリーンヒドラ隔離飼育下におけるクリーニング効果］
実験１で調製したクリーニング効果試験用シャーレの開口部を通水性を有しグリーンヒドラが通過できないメッシュで蓋をし、実験１と同一条件に設定した水槽Ａに沈めた。水槽Ａはグッピーとグリーンヒドラが混泳しているが、両者ともにシャーレ内の藻類には接触できないが、グリーンヒドラ飼育水は藻類に接触する。
【００４３】
図４に８日後の水槽Ａのシャーレを示す。図４の水槽Ａのシャーレ内の藻類の付着量は、図３Ｂのグリーンヒドラなしの水槽Ｂの１０日後のシャーレよりも少ない。これらの比較は、グリーンヒドラが藻類に接触しなくてもグリーンヒドラ飼育水がクリーニング効果を有していることを示している。
［実験３：グリーンヒドラ飼育水の循環によるクリーニング効果（１）］
図１に示す飼育装置１を用い、主水槽１１から隔離した副水槽２１でグリーンヒドラ２０を飼育し、主水槽１１と副水槽２１で水を循環させながら主水槽１１のクリーニング試験を行った。
【００４４】
主水槽１１の水量は１０リットル、副水槽２１の水量は１０リットルである。実験は珪藻および緑藻の２種について別々に行うものとし、各主水槽１１には６匹のグッピーを入れ、緑藻の主水槽１１にはシャーレも沈めた。各主水槽１１は主として珪藻を含む藻類（以下「珪藻」と略称する）または主として緑藻を含む藻類（以下「緑藻」と略称する）を繁殖させ、図５Ａ（珪藻）および図６Ａ（緑藻）の状態になったときに、約１０００匹のグリーンヒドラ２０を入れた副水槽２１を接続して主水槽１１と副水槽２１の間で水の循環を開始した。また、循環開始時の緑藻の主水槽１１（図６Ａ）は壁面だけでなく水も緑色に濁り、シャーレにも緑藻が付着している。
【００４５】
図５Ａは珪藻の実験開始時、図５Ｂは珪藻の９日後、図５Ｃは珪藻の３２日後の主水槽１１の画像である。図６Ａは緑藻の実験開始時、図６Ｂは緑藻の３０日後、図６Ｃは緑藻の５３日後の主水槽１１の画像である。
【００４６】
珪藻の主水槽１１では、実験開始後間もなくグッピーが壁面の珪藻をつつき始め、９日後には壁面から珪藻が消失した（図５Ｂ）。また、その後も珪藻が増えることなく、３２日後も珪藻のない状態が維持されていた（図５Ｃ）。一方、緑藻の主水槽１１では、３０日後に壁面から緑藻が消失し（図６Ｂ）、５３日後にはシャーレの緑藻もほぼ消失した。
【００４７】
以上より、グリーンヒドラ飼育水は藻類の種類によってクリーニング効果が現れるまででの時間に差はあるが、クリーニング効果を有していることを確認した。
［実験４：グリーンヒドラ飼育水の循環によるクリーニング効果（２）］
水槽内に直径６０ｍｍのシャーレ１〜４の４個のシャーレを沈めて数か月放置し藻類を付着させた。これらのシャーレを図７の下段に示す。図７の下段シャーレ１〜４はグリーンヒドラおよびグリーンヒドラ飼育水が存在しない数か月経過したものである。
【００４８】
水槽からシャーレ１〜４を取出し、写真を撮影し、画像解析ソフトImageJにより各シャーレにつき８箇所で明るさを定量化した。図８に測定位置および８箇所の測定値の最大値、最小値、平均値を示す。測定値は任意単位（相対値）であり、数値が高い程明るく透明度が高い、即ち藻類の付着量が少ない。
【００４９】
前記シャーレ１〜４を水槽に戻してこの水槽を図１に参照される飼育装置１の主水槽１１とし、グリーンヒドラを飼育する副水槽２１との間で水を循環させた。主水槽１１の水は１０リットルであり、副水槽１１には１０リットルの水と１０００匹のグリーンヒドラ２０を入れた。なお、主水槽１１内は水とシャーレ１〜４のみであり、魚は入れていない。
【００５０】
前記飼育装置１を２か月稼働してシャーレをグリーンヒドラ飼育水に接触させた。２か月後に主水槽１１からシャーレ１〜４を取出し、水の循環開始前と同じ方法でシャーレの同じ位置の明るさを測定した。図９に測定位置および８箇所の測定値の最大値、最小値、平均値を示す。
【００５１】
さらに、表１に水の循環前後の各シャーレの明るさの平均値、シャーレ１〜４の平均値および標準偏差を示す。
【００５２】
【表１】
2019154395.tif 000003
【００５３】
図７〜９および表１に示すように、グリーンヒドラ飼育水によるクリーニング効果は明白である。
【産業上の利用可能性】
【００５４】
本発明は、観賞魚用水槽等の水棲生物の飼育環境における藻類除去に利用できる。
【符号の説明】
【００５５】
１、２…飼育装置
１１…主水槽
２０…グリーンヒドラ
２１…副水槽
２２…取水管（供給手段）
２３…メッシュフィルター（供給手段）
２４…ポンプ（供給手段）
２５…給水管（供給手段）
３１…メッシュ製容器（副水槽、供給手段）
３２…水中ポンプ（供給手段）
【図１】
2019154395.tif 000004
【図２】
2019154395.tif 000005
【図３Ａ】
2019154395.tif 000006
【図３Ｂ】
2019154395.tif 000007
【図４】
2019154395.tif 000008
【図５Ａ】
2019154395.tif 000009
【図５Ｂ】
2019154395.tif 000010
【図５Ｃ】
2019154395.tif 000011
【図６Ａ】
2019154395.tif 000012
【図６Ｂ】
2019154395.tif 000013
【図６Ｃ】
2019154395.tif 000014
【図７】
2019154395.tif 000015
【図８】
2019154395.tif 000016
【図９】
2019154395.tif 000017